(57)【要約】      （修正有）【課題】レンズ全長が短くレンズ有効径が小さく、全ズーム範囲及び物体距離全般にわたり高い光学性能が容易に得られるズームレンズを得る。【解決手段】物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第Ｎレンズ群ＬＮを含む後群ＬＲより構成され、ズーミングに際して隣り合うレンズ群の間隔が変化するズームレンズであって、ズーミングに際して第２レンズ群が移動し、フォーカシングに際して第Ｎレンズ群が移動し、第２レンズ群、第３レンズ群、第４レンズ群の焦点距離をそれぞれｆ２、ｆ３、ｆ４、広角端と望遠端における第４レンズ群の横倍率をそれぞれβ４ｗ、β４ｔとするとき、０．２＜ｆ２２／（ｆ３×ｆ４）＜１．０  ２．０＜β４ｔ／β４ｗ＜１０．０なる条件式を満足すること。【選択図】図１
2020067542.tif 000002
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、負の屈折力の第Ｎレンズ群を含む後群より構成され、ズーミングに際して隣り合うレンズ群の間隔が変化するズームレンズであって、
ズーミングに際して前記第２レンズ群が移動し、
フォーカシングに際して前記第Ｎレンズ群が移動し、
前記第２レンズ群の焦点距離をｆ２、前記第３レンズ群の焦点距離をｆ３、前記第４レンズ群の焦点距離をｆ４、広角端と望遠端における前記第４レンズ群の横倍率をそれぞれβ４ｗ、β４ｔとするとき、
０．２＜ｆ２２／（ｆ３×ｆ４）＜１．０
２．０＜β４ｔ／β４ｗ＜１０．０
なる条件式を満足することを特徴とするズームレンズ。
【請求項２】
前記第Ｎレンズ群の焦点距離をｆｆ、広角端における前記ズームレンズの焦点距離をｆｗとするとき、
−５．０＜ｆｆ／ｆｗ＜−１．０
なる条件式を満足することを特徴とする請求項１に記載のズームレンズ。
【請求項３】
前記第２レンズ群の焦点距離をｆ２、広角端における前記ズームレンズの焦点距離をｆｗとするとき、
−１．５＜ｆ２／ｆｗ＜−０．５
なる条件式を満足することを特徴とする請求項１または２に記載のズームレンズ。
【請求項４】
前記第１レンズ群の焦点距離をｆ１、広角端における前記ズームレンズの焦点距離をｆｗとするとき、
２．０＜ｆ１／ｆｗ＜１０．０
なる条件式を満足することを特徴とする請求項１乃至３のいずれか１項に記載のズームレンズ。
【請求項５】
望遠端における前記ズームレンズの焦点距離をｆｔとするとき、
０．１＜ｆ４／ｆｔ＜０．７
なる条件式を満足することを特徴とする請求項１乃至４のいずれか１項に記載のズームレンズ。
【請求項６】
前記後群は前記第Ｎレンズ群より像側に１つ以上のレンズ群を有し、広角端における前記第Ｎレンズ群より像側に配置されているレンズ群の合成焦点距離をｆｒｗ、広角端における最終レンズ面から像面までの距離をｓｋｗとするとき、
−１０．０＜ｆｒｗ／ｓｋｗ＜−１．０
なる条件式を満足することを特徴とする請求項１乃至５のいずれか１項に記載のズームレンズ。
【請求項７】
前記第Ｎレンズ群の最も物体側のレンズ面の曲率半径をＲｆ１、前記第Ｎレンズ群の最も像側のレンズ面の曲率半径をＲｆ２とするとき、
−７．０＜（Ｒｆ２＋Ｒｆ１）／（Ｒｆ２−Ｒｆ１）＜−０．５
なる条件式を満たすことを特徴とする請求項１乃至６のいずれか１項に記載のズームレンズ。
【請求項８】
望遠端における前記第Ｎレンズ群の横倍率をβｆｔ、望遠端における前記第Ｎレンズ群より像側に位置するレンズ群の合成横倍率をβｒｔとするとき、
−７．０＜（１−βｆｔ２）×βｒｔ２＜−１．０
なる条件式を満たすことを特徴とする請求項１乃至７のいずれか１項に記載のズームレンズ。
【請求項９】
広角端における最終レンズ面から像面までの距離をｓｋｗ、広角端における最も物体側のレンズ面から像面までの距離をＴＴＤｗとするとき、
３．０＜ＴＴＤｗ／ｓｋｗ＜２０．０
なる条件式を満たすことを特徴とする請求項１乃至８のいずれか１項に記載のズームレンズ。
【請求項１０】
広角端から望遠端へのズーミングにおける前記第３レンズ群の移動量をｍ３、広角端から望遠端へのズーミングにおける前記第４レンズ群の移動量をｍ４とするとき
０．３＜ｍ３／ｍ４＜１．０
なる条件式を満たす請求項１乃至９のいずれか１項に記載のズームレンズ。
【請求項１１】
前記第Ｎレンズ群は２枚以下のレンズから構成されることを特徴とする、請求項１乃至１０のいずれか１項に記載のズームレンズ。
【請求項１２】
前記後群は、物体側から像側へ順に配置された負の屈折力の第５レンズ群、正の屈折力の第６レンズ群から構成されることを特徴とする請求項１乃至１１のいずれか１項に記載のズームレンズ。
【請求項１３】
前記後群は、物体側から像側へ順に配置された負の屈折力の第５レンズ群、負の屈折力の第６レンズ群から構成されることを特徴とする請求項１乃至１１のいずれか１項に記載のズームレンズ。
【請求項１４】
前記後群は、物体側から像側へ順に配置された負の屈折力の第５レンズ群、負の屈折力の第６レンズ群、正の屈折力の第７レンズ群から構成されることを特徴とする請求項１乃至１１のいずれか１項に記載のズームレンズ。
【請求項１５】
請求項１乃至１４のいずれか１項に記載のズームレンズと、該ズームレンズによって形成される像を受光する撮像素子を有していることを特徴とする撮像装置。
【発明の詳細な説明】
【技術分野】
【０００１】
本発明はズームレンズに関し、例えばデジタルスチルカメラ、ビデオカメラ、監視カメラ、放送用カメラ等の撮像装置に用いる撮像光学系として好適なものである。
【背景技術】
【０００２】
近年、撮像素子を用いた撮像装置は高機能化され、かつ装置全体が小型化されている。これらの撮像装置に用いられる撮像光学系には、明るいＦナンバーを有し、レンズ全長が短く、かつレンズ鏡筒径が小さく、ズーム全域で高解像力を有するズームレンズであることが望まれている。更に近年では、フォーカシング速度が速いことや、フォーカシングに際して光学性能の変動が少なく、かつ像倍率の変化が少ないこと等が求められている。
【０００３】
近年、レンズ全長の短縮化と鏡筒径を小型化するために、バックフォーカスを短く設定し、レンズ最終面から像面までの間にメカニカルな部材を除いた、所謂ミラーレスタイプの撮像光学系が提案されている。レンズ全長が短く、且つ、大口径化が容易なズームレンズとして、最も物体側に、正の屈折力のレンズ群を配置したポジティブリード型のズームレンズが知られている（特許文献１）。
【０００４】
特許文献１では、物体側より像側へ順に、正、負、正、負、正、負の屈折力の第１レンズ群乃至第６レンズ群より構成され、ズーミングに際して隣り合うレンズ群の間隔が変化し、フォーカシングに際して、第４レンズ群が移動するズームレンズを開示している。
【０００５】
特許文献２では、物体側より像側へ順に、正、負、正、正、負、正の屈折力の第１レンズ群乃至第６レンズ群より構成され、ズーミングに際して隣り合うレンズ群の間隔が変化し、フォーカシングに際して、第２レンズ群が移動するズームレンズを開示している。
【先行技術文献】
【特許文献】
【０００６】
【特許文献１】特開２０１６−１９７２５７号公報
【特許文献２】特開２０１１−３９５６０号公報
【発明の概要】
【発明が解決しようとする課題】
【０００７】
撮像装置に用いるズームレンズには、所定のズーム比を有し、レンズ系全体が小型であること、フォーカスレンズ群が小型軽量でフォーカシングに際して収差変動が少ないこと等が強く要望されている。
【０００８】
ポジティブリード型のズームレンズにおいて、レンズ全長の短縮化とレンズ鏡筒径を小型化し、高いフォーカス性能を得るためには、各レンズ群の屈折力を高め、フォーカスレンズ群を適切に設定する必要がある。特に、フォーカスレンズ群の光学設計はレンズ鏡筒の径に大きく影響する。このためフォーカスレンズ群のレンズ径やフォーカシングによるレンズ群の移動量を小さくすることが重要となる。
【０００９】
とりわけ、大口径比のズームレンズではフォーカスレンズ群の光軸方向の配置設定は外径や質量を決める重要な要素となる。更に、近年の動画撮影に対するニーズの高まりに伴い、フォーカシングによる撮像画界の変動、所謂像倍率の変動が少なくするようなフォーカスレンズ群の設定が重要となっている。
【００１０】
フォーカスレンズ群の選定が不適切であると、フォーカシングに際して収差変動が大きくなり、遠距離から近距離までの物体距離全般にわたり良好な光学性能を得ることが難しくなる。
【００１１】
所定のズーム比を有し、フォーカシングに際しての収差変動が少なく、全ズーム範囲にわたり高い光学性能を有する小型のズームレンズを得るには、レンズ群の数や各レンズ群の屈折力等を適切に設定することが重要になってくる。
【００１２】
本発明は、レンズ全長が短くレンズ有効径が小さく、全ズーム範囲及び物体距離全般にわたり高い光学性能が容易に得られるズームレンズの提供を目的とする。
【課題を解決するための手段】
【００１３】
本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第Ｎレンズ群を含む後群より構成され、ズーミングに際して隣り合うレンズ群の間隔が変化するズームレンズであって、ズーミングに際して前記第２レンズ群が移動し、フォーカシングに際して前記第Ｎレンズ群が移動し、前記第２レンズ群の焦点距離をｆ２、前記第３レンズ群の焦点距離をｆ３、前記第４レンズ群の焦点距離をｆ４、広角端と望遠端における前記第４レンズ群の横倍率をそれぞれβ４ｗ、β４ｔとするとき、
０．２＜ｆ２２／（ｆ３×ｆ４）＜１．０
２．０＜β４ｔ／β４ｗ＜１０．０
なる条件式を満足することを特徴としている。
【発明の効果】
【００１４】
本発明によれば、レンズ全長が短くレンズ有効径が小さく、全ズーム範囲及び物体距離全般にわたり高い光学性能が容易に得られるズームレンズが得られる。
【図面の簡単な説明】
【００１５】
【図１】実施例１のズームレンズの広角端におけるレンズ断面図
【図２】実施例１のズームレンズの広角端、中間ズーム位置、望遠端における収差図
【図３】実施例２のズームレンズの広角端におけるレンズ断面図
【図４】実施例２のズームレンズの広角端、中間ズーム位置、望遠端における収差図
【図５】実施例３のズームレンズの広角端におけるレンズ断面図
【図６】実施例３のズームレンズの広角端、中間ズーム位置、望遠端における収差図
【図７】実施例４のズームレンズの広角端におけるレンズ断面図
【図８】実施例４のズームレンズの広角端、中間ズーム位置、望遠端における収差図
【図９】実施例５のズームレンズの広角端におけるレンズ断面図
【図１０】実施例５のズームレンズの広角端、中間ズーム位置、望遠端における収差図
【図１１】本発明の撮像装置の要部概略図
【発明を実施するための形態】
【００１６】
以下に、本発明の好ましい実施の形態を、添付の図面に基づいて説明する。本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第Ｎレンズ群を含む後群ＬＲより構成されている。ズーミングに際して隣り合うレンズ群の間隔が変化する。フォーカシングに際して、第Ｎレンズ群が移動する。
【００１７】
図１は本発明の実施例１のズームレンズの広角端（短焦点距離端）におけるレンズ断面図である。図２（Ａ）、（Ｂ）、（Ｃ）は、それぞれ、実施例１の無限遠に合焦（フォーカス）した状態での、広角端、中間ズーム位置、望遠端（長焦点距離端）における収差図である。実施例１はズーム比２．７４、Ｆナンバー２．９１のズームレンズである。
【００１８】
図３は本発明の実施例２のズームレンズの広角端におけるレンズ断面図である。図４（Ａ）、（Ｂ）、（Ｃ）は、それぞれ、実施例２の無限遠に合焦した状態での、広角端、中間ズーム位置、望遠端における収差図である。実施例２はズーム比２．７５、Ｆナンバー２．９１のズームレンズである。
【００１９】
図５は本発明の実施例３のズームレンズの広角端におけるレンズ断面図である。図６（Ａ）、（Ｂ）、（Ｃ）は、それぞれ、実施例３の無限遠に合焦した状態での、広角端、中間ズーム位置、望遠端における収差図である。実施例３はズーム比２．７５、Ｆナンバー２．９１のズームレンズである。
【００２０】
図７は本発明の実施例４のズームレンズの広角端におけるレンズ断面図である。図８（Ａ）、（Ｂ）、（Ｃ）は、それぞれ、実施例４の無限遠に合焦した状態での、広角端、中間ズーム位置、望遠端における収差図である。実施例４はズーム比４．１３、Ｆナンバー４．１２のズームレンズである。
【００２１】
図９は本発明の実施例５のズームレンズの広角端におけるレンズ断面図である。図１０（Ａ）、（Ｂ）、（Ｃ）は、それぞれ、実施例５の無限遠に合焦した状態での、広角端、中間ズーム位置、望遠端における収差図である。実施例５はズーム比２．７５、Ｆナンバー２．９１のズームレンズである。図１１は本発明の撮像装置の要部概略図である。
【００２２】
各実施例のズームレンズはビデオカメラ、デジタルスチルカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。ＬＲは後群である。ＬＮは後群ＬＲに含まれる負の屈折力のレンズ群である。
【００２３】
ＳＰは開放Ｆナンバー（Ｆｎｏ）の光束を決定（制限）する開口絞りである。ＩＳは防振群である。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。矢印は広角端から望遠端へのズーミングに際しての各レンズ群の移動軌跡を示す。
【００２４】
ＦＯＣＵＳと付した図中の矢印は無限遠から近距離へのフォーカシングに際してのレンズ群の移動方向を示している。
【００２５】
収差図においてＦｎｏはＦナンバー、ωは半画角（度）であり、光線追跡値による画角である。球面収差図において、実線のｄはｄ線（波長５８７．５６ｎｍ）、二点鎖線のｇはｇ線（波長４３５．８３５ｎｍ）である。非点収差図において実線のΔＳはｄ線におけるサジタル像面、破線のΔＭはｄ線におけるメリディオナル像面である。歪曲収差はｄ線について示している。倍率色収差図において二点鎖線のｇはｇ線である。
【００２６】
各実施例のズームレンズは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、１つ以上のレンズ群からなる後群ＬＲより構成されている。後群ＬＲはフォーカシングに際して移動する負の屈折力の第Ｎレンズ群ＬＮを有している。
【００２７】
各実施例のズームレンズは、第１レンズ群Ｌ１、第２レンズ群Ｌ２、第３レンズ群Ｌ３、第４レンズ群Ｌ４の移動により主に変倍を行っている。第１レンズ群Ｌ１はズーミングに際し、物体側へ移動して広角端における前玉有効径を小型化しつつ、高ズーム比化を図っている。また、広角端から望遠端へのズーミングに際して第４レンズ群Ｌ４以降のレンズ群を物体側へ移動させることで、高い変倍効果を得ている。全ズーム領域において、無限遠から近距離へフォーカスはフォーカス（ＦＯＣＵＳ）の矢印に示す如く、負の屈折力の第Ｎレンズ群ＬＮを物体側へ繰り出すことで行っている。
【００２８】
各実施例のズームレンズＬ０は、物体側から像側へ順に配置された、次のレンズ群からなる。正の屈折力の第１レンズ群Ｌ１、負の屈折力の第２レンズ群Ｌ２、正の屈折力の第３レンズ群Ｌ３、正の屈折力の第４レンズ群Ｌ４、及び１つ以上の負の屈折力の第Ｎレンズ群を含む後群ＬＲからなる。フォーカシングに際して第Ｎレンズ群ＬＮが移動する。
【００２９】
ポジティブリード型のズームレンズにおいて、バックフォーカスを有効に使い、レンズ全長を短くするには、開口絞りＳＰより物体側に配置した負の屈折力のレンズ群の負の屈折力をある程度弱くするのが良い。更に開口絞りＳＰより像側に配置した正の屈折力のレンズ群の正の屈折力を強くすることが良い。
【００３０】
これによれば、ズーム全域で良好な光学性能を容易に確保することができる。また大口径比のズームレンズにおいて、フォーカシングに際して像倍率の変動を抑制し至近での光学性能を良好に確保しつつ全系の小型化を図るためには開口絞りより像側の第Ｎレンズ群でフォーカシングを行うことが有効である。特に開口比（Ｆナンバー）が２．８を超えるズームレンズでは有効である。
【００３１】
また、主変倍レンズ群である第２レンズ群Ｌ２の負の屈折力を比較的弱めに設定し、第３レンズ群と第４レンズ群の正の屈折力を強めに設定すると、その像側に設置するフォーカス用の第Ｎレンズ群ＬＮとの屈折力配分を高い光学性能を維持しつつ行える。そのため、フォーカシングに際して光学性能を良好に維持することが容易となる。
【００３２】
次に各実施例のレンズ構成について説明する。
【００３３】
実施例１は物体側から像側へ順に、配置された次のレンズ群よりなる。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる６群ズームレンズである。後群ＬＲは負の屈折力の第５レンズ群Ｌ５と正の屈折力の第６レンズ群Ｌ６より構成されている。また第５レンズ群は無限遠から近距離へのフォーカシングに際して像側へ移動する第Ｎレンズ群ＬＮである。
【００３４】
広角端から望遠端へのズーミングに際して、第１レンズ群Ｌ１が物体側に直線的に移動、第２レンズ群Ｌ２が像側に凸状の軌跡で移動する。また第３レンズ群Ｌ３と第４レンズ群Ｌ４は間隔が狭まるように物体側に移動する。第３レンズ群Ｌ３はレンズ群内に開口絞りＳＰを有する。また第３レンズ群Ｌ３の像側の負レンズと正レンズの２つのレンズは、各レンズを光軸に対して垂直方向の成分を持つ方向に移動することで、像ぶれ（手振れ）を補償する所謂防振群である。
【００３５】
実施例２はレンズ群の数、各レンズ群の屈折力の符号、ズーミングに際しての各レンズ群の移動条件等のズームタイプは実施例１と同じである。フォーカシングに際して移動するレンズ群及び移動方向等のフォーカス方式は実施例１と同じである。
【００３６】
実施例３は物体側から像側へ順に、配置された次のレンズ群よりなる。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる６群ズームレンズである。後群ＬＲは負の屈折力の第５レンズ群Ｌ５と負の屈折力の第６レンズ群Ｌ６より構成されている。また第５レンズ群Ｌ５は無限遠から至近距離へのフォーカシングに際して像側へ移動する第Ｎレンズ群ＬＮである。
【００３７】
広角端から望遠端へのズーミングに際して、第１レンズ群Ｌ１が物体側に直線に移動、第２レンズ群Ｌ２が像側に凸状の軌跡で移動する。また第３レンズ群Ｌ３と第４レンズ群Ｌ４は間隔が狭まるように物体側に移動する。第３レンズ群Ｌ３はレンズ群内に開口絞りＳＰを有する。また第３レンズ群Ｌ３の像側の負レンズと正レンズの２つのレンズは、各レンズを光軸に対しての垂直方向の成分を持つ方向に移動することで、像ぶれ（手振れ）を補償する所謂防振群である。
【００３８】
実施例４はズームタイプが実施例３と同じである。フォーカシングに際して移動するレンズ群及び移動方向等のフォーカス方式は実施例３と同じである。
【００３９】
実施例５は物体側から像側へ順に、配置された次のレンズ群よりなる。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６、正の屈折力の第７レンズ群Ｌ７からなる７群ズームレンズである。後群ＬＲは負の屈折力の第５レンズ群Ｌ５と負の屈折力の第６レンズ群Ｌ６と正の屈折力の第７レンズ群より構成されている。また第５レンズ群Ｌ５はフォーカシングに際して像側へ移動する第Ｎレンズ群ＬＮである。
【００４０】
広角端から望遠端へのズーミングに際して、第１レンズ群Ｌ１が物体側に直線に移動、第２レンズ群Ｌ２が像側に凸状の軌跡で移動する。また第３レンズ群Ｌ３と第４レンズ群Ｌ４は間隔が狭まるように物体側に移動する。第５レンズ群Ｌ５乃至第７レンズ群Ｌはズーミングに際しそれぞれ異なった軌跡を描いて物体側へ移動する。第３レンズ群Ｌ３は群内に開口絞りＳＰを有する。また第３レンズ群Ｌ３の像側の負レンズと正レンズの２つのレンズは、各レンズを光軸に対しての垂直方向の成分を持つ方向に移動することで、像ぶれ（手振れ）を補償する所謂防振群である。
【００４１】
各実施例のズームレンズは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第Ｎレンズ群ＬＮを含む後群ＬＲより構成されている。そして、隣り合うレンズ群の間隔が変化する。そしてズーミングに際して第２レンズ群Ｌ２が移動し、フォーカシングに際して第Ｎレンズ群ＬＮが移動する。
【００４２】
第２レンズ群Ｌ２の焦点距離をｆ２、第３レンズ群Ｌ３の焦点距離をｆ３、第４レンズ群Ｌ４の焦点距離をｆ４、広角端と望遠端における第４レンズ群Ｌ４の横倍率をそれぞれβ４ｗ、β４ｔとする。このとき、
０．２＜ｆ２２／（ｆ３×ｆ４）＜１．０ ・・・（１）
２．０＜β４ｔ／β４ｗ＜１０．０      ・・・（２）
なる条件式を満足する。
【００４３】
次に前述の各条件式の技術的意味について説明する。
【００４４】
条件式（１）はレンズ全長の短縮化とフォーカス用の第Ｎレンズ群ＬＮの軽量化を図るために、第２レンズ群Ｌ２、第３レンズ群Ｌ３、第４レンズ群Ｌ４の焦点距離を設定したものである。
【００４５】
条件式（１）の上限を超えて、負の焦点距離ｆ２が長くなると（負の焦点距離の絶対値が大きくなること）第２レンズ群Ｌ２の負の屈折力が弱まりすぎ、所望のバックフォーカスを確保することが困難となる。また第２レンズ群Ｌ２の負の屈折力が弱まりすぎると、レンズ全系のペッツバール和が大きな正の値をとり、像面湾曲や非点収差の補正が難しくなる。或いは、条件式（１）の上限を超えて、第３レンズ群Ｌ３の焦点距離ｆ３と第４レンズ群Ｌ４の焦点距離ｆ４が短くなると、第３レンズ群Ｌ３の正の屈折力と第４レンズ群Ｌ４の正の屈折力が強まりすぎ、ズーミングに際して像面の変動を補正することが困難となる。
【００４６】
条件式（１）の下限を超えて、負の焦点距離ｆ２が短くなると（負の焦点距離の絶対値が小さくなると）第２レンズ群Ｌ２の負の屈折力が強まりすぎ、第３レンズ群Ｌ３での光束径が大きくなる。このため、とりわけ大口径比のズームレンズにおいては望遠端において高次の球面収差の補正が困難となってくる。また、第２レンズ群Ｌ２の負の屈折力が強まりすぎ、バックフォーカスが長くなる傾向にあり、ズームレンズの小型化の観点から好ましくない。
【００４７】
或いは、条件式（１）の下限を超えて、第３レンズ群Ｌ３と第４レンズ群Ｌ４の焦点距離が長くなると、第３レンズ群Ｌ３と第４レンズ群Ｌ４の正の屈折力が弱まりすぎる。そうすると、所望のズーム比を得るためにはズーミングに際しての各レンズ群の移動量が大きくなり、レンズ全長の小型化の観点から好ましくない。
【００４８】
条件式（２）はフォーカス用の第Ｎレンズ群ＬＮの小径化を図るために、第４レンズ群Ｌ４の広角端における横倍率β４ｗと望遠端における横倍率β４ｔの比（所謂ズーミングの変倍分担値）を設定したものである。
【００４９】
条件式（２）の上限を超えて、第４レンズ群Ｌ４の変倍分担比が大きくなると、後続するフォーカスレンズ群である第Ｎレンズ群ＬＮの小径化には有利であるが、第４レンズ群Ｌ４の正の屈折力が強まりすぎる傾向にある。そうすると、球面収差の補正やズーミングに際する像面変動の抑制が困難になる傾向にあり、好ましくない。あるいは第４レンズ群Ｌ４のズーミングに際しての移動量が大きくなり、レンズ全長の小型化の観点から好ましくない。
【００５０】
条件式（２）の下限を超えて、第４レンズ群Ｌ４の変倍分担比が小さくなると、第Ｎレンズ群ＬＮの小径化が困難となる。また所望のズーム比を得るために、第３レンズ群Ｌ３などの他のレンズ群の変倍分担比を上げる必要があり、各レンズ群のレンズ群内での収差補正が困難になることから好ましくない。
【００５１】
各実施例において好ましくは次の条件式のうち１つ以上を満足するのが良い。
【００５２】
第Ｎレンズ群ＬＮの焦点距離をｆｆ、広角端におけるズームレンズの焦点距離をｆｗとする。第２レンズ群Ｌ２の焦点距離をｆ２とする。第１レンズ群Ｌ１の焦点距離をｆ１とする。望遠端におけるズームレンズの焦点距離をｆｔとする。後群ＬＲは第Ｎレンズ群ＬＮより像側に１つ以上のレンズ群を有し、広角端における第Ｎレンズ群ＬＮより像側に配置されているレンズ群の合成焦点距離をｆｒｗ、広角端における最終レンズ面から像面までの距離をｓｋｗとする。
【００５３】
第Ｎレンズ群ＬＮの最も物体側のレンズ面の曲率半径をＲｆ１、最も像側のレンズ面の曲率半径をＲｆ２とする。望遠端における第Ｎレンズ群ＬＮの横倍率をβｆｔ、望遠端における第Ｎレンズ群ＬＮより像側に位置するレンズ群の合成横倍率をβｒｔとする。広角端における最も物体側のレンズ面から像面までの距離をＴＴＤｗとする。広角端から望遠端へのズーミングにおける第３レンズ群Ｌ３の移動量をｍ３、第４レンズ群Ｌ４の移動量をｍ４とする。
【００５４】
ここで、広角端から望遠端へのズーミングにおけるレンズ群の移動量とは、広角端におけるレンズ群の光軸上の位置と望遠端におけるレンズ群の光軸上の位置の差をいう。移動量の符号は広角端に比べて望遠端においてレンズ群が像側に位置するときを正、物体側に位置するときを負とする。
【００５５】
このとき次の条件式のうち１つ以上を満足するのが良い。
【００５６】
−５．０＜ｆｆ／ｆｗ＜−１．０                            ・・・（３）
−１．５＜ｆ２／ｆｗ＜−０．５                            ・・・（４）
２．０＜ｆ１／ｆｗ＜１０．０                              ・・・（５）
０．１＜ｆ４／ｆｔ＜０．７                                ・・・（６）
−１０．０＜ｆｒｗ／ｓｋｗ＜−１．０                      ・・・（７）
−７．０＜（Ｒｆ２＋Ｒｆ１）／（Ｒｆ２−Ｒｆ１）＜−０．５・・・（８）
−７．０＜（１−βｆｔ２）×βｒｔ２＜−１．０            ・・・ （９）
３．０＜ＴＴＤｗ／ｓｋｗ＜２０．０                        ・・・（１０）
０．３＜ｍ３／ｍ４＜１．０                                ・・・（１１）
次に前述の各条件式の技術的意味について説明する。
【００５７】
条件式（３）はズーミングの小型軽量化かつ高いフォーカス性能を得るために、フォーカスレンズ群である第Ｎレンズ群ＬＮの焦点距離ｆｆを設定するものである。条件式（３）の上限を超えて、第Ｎレンズ群ＬＮの焦点距離が短くなると、第Ｎレンズ群ＬＮの屈折力が強くなりすぎ（負の屈折力の絶対値が大きくなりすぎ）、無限遠から至近までのすべての領域において満足な光学性能を得る事が困難となる。また第Ｎレンズ群ＬＮの負の屈折力を強くするために第Ｎレンズ群ＬＮのレンズ面の曲率半径が小さくなり、第Ｎレンズ群ＬＮの質量が大きくなる傾向にあり好ましくない。
【００５８】
或いは広角端におけるズームレンズの焦点距離ｆｗが長くなりすぎ、所望の撮像画角を確保することが困難となり、好ましくない。条件式（３）の下限を超えて第Ｎレンズ群ＬＮの焦点距離が長くなるとフォーカスシングに際する移動量が大きくなり、かつフォーカスレンズ群の径が大きくなる。これにより、レンズ全長の小型化が困難になるため好ましくない。或いは広角端におけるズームレンズの焦点距離ｆｗが短くなりすぎ、広画角化のための開口絞りＳＰより物体側の負の屈折力の屈折力が強まり、光学性能が低下し、更に前玉有効径が増加するので好ましくない。
【００５９】
条件式（４）は主たる変倍レンズ群である負の屈折力の第２レンズ群Ｌ２の焦点距離ｆ２を適切に設定し、レンズ全長の短縮化を図りつつ、高い光学性能を得るためのものである。
【００６０】
条件式（４）の下限を上回って、第２レンズ群Ｌ２の負の焦点距離ｆ２が長くなりすぎると、バックフォーカスは短くなるが、所望のズーム比を得るために、第２レンズ群Ｌ２の移動量が増加し、レンズ全長が増大してくる。また全系の負の屈折力も弱まるため、ペッツバール和が正の方向に強くなる傾向にあり、非点収差や像面湾曲が増加してくる。或いは、広角端におけるズームレンズの焦点距離ｆｗが短くなると、広画角化のための開口絞りＳＰより物体側の負の屈折力の屈折力が強まり、光学性能が低下し、更に前玉有効径が増加してくるので良くない。
【００６１】
条件式（４）の上限を上回って、第２レンズ群Ｌ２の負の焦点距離ｆ２が短くなりすぎると、第２レンズ群Ｌ２の負の屈折力が強くなりすぎ、後続する第３レンズ群Ｌ３のレンズ外径が大きくなり、ズームレンズの小型化が困難になる。また、第２レンズ群Ｌ２の負の焦点距離が短くなると、広角端におけるレンズ全長を短縮化するために、第３レンズ群Ｌ３以降の正の屈折力を必要以上に強くする必要があり、この結果、球面収差等の軸上の収差が増大し、この収差を補正することが難しくなる。或いは広角端におけるズームレンズの焦点距離ｆｗが長くなり、広角端におけるズームレンズの焦点距離を短くするのが困難になる。
【００６２】
条件式（５）は必要なズーム比を得るために、広角端におけるズームレンズの焦点距離ｆｗと第１レンズ群Ｌ１の焦点距離ｆ１を規定している。条件式（５）の上限を超えて、第１レンズ群Ｌ１の正の焦点距離が長くなると、広角端において倍率色収差の補正、望遠端において軸上色収差の補正は容易となる。しかしながらズーミングに際して第１レンズ群Ｌ１の移動量が大きくなり、レンズ全長が増大してくるため好ましくない。
【００６３】
条件式（５）の下限値を超えて、第１レンズ群Ｌ１の正の焦点距離が短くなると、ズームレンズの小型化は容易となるが、少ないレンズ枚数で球面収差やコマ収差等を良好に補正することが困難となる。更に、広角端におけるズームレンズの焦点距離が長くなってくると、所望のズーム比を確保することが困難となる。
【００６４】
条件式（６）は必要なズーム比を得て、かつ、小型のフォーカスレンズ群を得るために、第４レンズ群Ｌ４の焦点距離ｆ４を規定している。条件式（６）の上限を超えて、第４レンズ群Ｌ４の焦点距離が長くなると、第４レンズ群Ｌ４の屈折力が弱くなりすぎ、後続する第Ｎレンズ群ＬＮへの入射光束幅が大きくなり、第Ｎレンズ群ＬＮの小径化が難しくなり、好ましくない。また、所望のズーム倍率を得るために、第４レンズ群Ｌ４のズーミングにおける移動量を長く確保する必要があり、レンズ全長の短縮の観点から好ましくない。或いは、望遠端におけるズームレンズの焦点距離ｆｔが短くなり、望遠端での所望の撮像画界を得ることが難しくなり、好ましくない。
【００６５】
条件式（６）の下限を超えて、第４レンズ群Ｌ４の焦点距離が短くなると、第４レンズ群Ｌ４の正の屈折力が強くなり、後続する第Ｎレンズ群ＬＮの小型化には寄与するものの、第４レンズ群Ｌ４で発生する収差が大きくなる。とりわけ、球面収差を補正するために、第４レンズ群Ｌ４のレンズ枚数を増やす必要があり、ズームレンズの小型化の観点から好ましくない。
【００６６】
条件式（７）はレンズ全長の短縮化を図るために、第Ｎレンズ群ＬＮから像側のレンズ群の広角端における合成焦点距離ｆｒｗを規定したものである。条件式（７）の下限を超えて、負の合成焦点距離ｆｒｗが長くなると、第Ｎレンズ群ＬＮより像側の負の屈折力が弱くなりすぎる。そうすると、望遠端におけるレンズ全体のテレフォト屈折力配置の効果が減少する傾向にあるため、望遠端におけるレンズ全長の短縮化の観点から好ましくない。或いは、バックフォーカスｓｋｗが短くなりすぎ、レンズとカメラとの接続部のメカ的な配置が困難となる。
【００６７】
条件式（７）の上限を超えて、負の合成焦点距離ｆｒｗが短くなると、第Ｎレンズ群ＬＮより像側の負の屈折力が強くなりすぎ、広角端におけるレンズ全体のレトロフォーカス効果が減少する屈折力配置になるため、広角端におけるレンズ全長の短縮化が困難になる。また、像面近傍に強い負の屈折力が配置されるため、撮像素子などの像面に配置される素子への光線の入射角度が大きくなり、テレセントリック性が損なわれるため、好ましくない。或いは、バックフォーカスｓｋｗが長くなりすぎ、レンズ全長の短縮の観点から好ましくない。
【００６８】
条件式（８）は各物体距離において、良好なフォーカス性能を得るために、フォーカスレンズ群である第Ｎレンズ群ＬＮの物体側のレンズ面と像側のレンズ面の形状を設定したものである。条件式（８）の上限を超えると、第Ｎレンズ群ＬＮの形状は物体側と像側の曲率半径が近くなる両凹形状に近づく。結果、フォーカス時の球面収差の変動が大きくなる傾向にあり、良好なフォーカス性能を得る事が難しくなる。
【００６９】
条件式（８）の下限を超えると、第Ｎレンズ群ＬＮの形状は物体側に凸の強いメニスカス形状になる。結果、各物体距離に対する球面収差の変動の補正が過剰になり好ましくない。また強いメニスカス形状になることで第Ｎレンズ群ＬＮ群の体積が増加するため、ズームレンズの小型化の観点からも好ましくない。
【００７０】
条件式（９）は望遠端における良好なフォーカス性能を得るために、第Ｎレンズ群ＬＮの望遠端におけるフォーカス敏感度（光軸方向のフォーカス群の移動量に対する像面の移動量の比）を適切に設定するものである。条件式（９）の上限を超えて、負のフォーカス敏感度が低くなると、各物体距離における収差の物体距離の変動は少なくできる方向ではあるが、無限遠から至近までの移動量が大きくなりすぎ、第Ｎレンズ群ＬＮが大型化してしまい好ましくない。条件式（９）の下限を超えて、負のフォーカス敏感度が高くなると、第ＮレンズＬＮ群の細かな制御が難しくなり、結果として良好な光学性能を得る事が難しくなる。
【００７１】
条件式（１０）はレンズ全長が短いズームレンズを得るためにレンズ全長とバックフォーカスを適切に設定する条件式である。条件式（１０）の上限を超えて、広角端のレンズ全長が長くなると、レンズ全長の短縮化が困難になる。或いは、バックフォーカスｓｋｗが短くなりすぎ、ズームレンズとカメラとの接続部のメカ的な配置が困難となる。
【００７２】
条件式（１０）の下限を超えて、広角端のレンズ全長が短くなると、レンズ全体の正の屈折力が高くなりすぎ、ペッツバール和のコントロールが困難となり、所望の光学性能を得る事が困難となる。或いはバックフォーカスｓｋｗが長くなりすぎ、レンズ全長の短縮の観点から好ましくない。
【００７３】
条件式（１１）はズーム全域で良好な光学性能を維持するために、第３レンズ群Ｌ３と第４レンズ群Ｌ４のズーミングＬ４に際する移動量の比を規定している。条件式（１１）の上限を超えて、第３レンズ群Ｌ３の移動量が長くなると、第３レンズＬ群Ｌ３と第４レンズ群Ｌ４が望遠端にかけて広がる方向に移動し、所望のズーム比を得るためには好ましくない。
【００７４】
条件式（１１）の下限を超えて、第３レンズ群Ｌ３の移動量が短くなると、ズーミングに際する像面湾曲の変動を制御しやすくはなる。しかしながら、広角端において第３レンズ群Ｌ３と第４レンズ群Ｌ４を大きく離す必要があるため、広角端におけるレンズ全長の短縮化の観点から好ましくない。
【００７５】
なお、各実施例において好ましくは、条件式（１）乃至条件式（１１）の数値範囲を次の如く設定すると良い。
【００７６】
０．２０５＜ｆ２２／（ｆ３×ｆ４）＜０．５００             ・・・（１ａ）
２．０＜β４ｔ／β４ｗ＜９．０                            ・・・（２ａ）
−４．０＜ｆｆ／ｆｗ＜−１．３                            ・・・（３ａ）
−１．３＜ｆ２／ｆｗ＜−０．６                            ・・・（４ａ）
２．８＜ｆ１／ｆｗ＜７．０                                ・・・（５ａ）
０．１５＜ｆ４／ｆｔ＜０．６０                            ・・・（６ａ）
−９．０＜ｆｒｗ／ｓｋｗ＜−１．２                        ・・・（７ａ）
−７．０＜（Ｒｆ２＋Ｒｆ１）／（Ｒｆ２−Ｒｆ１）＜−１．０・・・（８ａ）
−６．５＜（１−βｆｔ２）×βｒｔ２＜−２．０              ・・・（９ａ）
４．０＜ＴＴＤｗ／ｓｋｗ＜１７．０                        ・・・（１０ａ）
０．４＜ｍ３／ｍ４＜０．９                                ・・・（１１ａ）
また、更に好ましくは、各実施例において、条件式（１ａ）乃至条件式（１１ａ）の数値範囲を次の如く設定するのが良い。
【００７７】
０．２１＜ｆ２２／（ｆ３×ｆ４）＜０．３５                ・・・（１ｂ）
２．３５＜β４ｔ／β４ｗ＜８．５０                        ・・・（２ｂ）
−３．０＜ｆｆ／ｆｗ＜−１．５                            ・・・（３ｂ）
−１．２＜ｆ２／ｆｗ＜−０．７                            ・・・（４ｂ）
３．２＜ｆ１／ｆｗ＜５．０                                ・・・（５ｂ）
０．２＜ｆ４／ｆｔ＜０．５                                ・・・（６ｂ）
−８．０＜ｆｒｗ／ｓｋｗ＜−１．５                        ・・・（７ｂ）
−４．５＜（Ｒｆ２＋Ｒｆ１）／（Ｒｆ２−Ｒｆ１）＜−１．５・・・（８ｂ）
−６．０＜（１−βｆｔ２）×βｒｔ２＜−２．５              ・・・（９ｂ）
６．０＜ＴＴＤｗ／ｓｋｗ＜１５．０                        ・・・（１０ｂ）
０．６０＜ｍ３／ｍ４＜０．８５                            ・・・（１１ｂ）
各実施例において、フォーカスレンズ群である第Ｎレンズ群ＬＮはフォーカシングスピードを速くするためできるだけ軽量であることが良い。そのため、第Ｎレンズ群ＬＮは２枚以下のレンズよりなる接合レンズ、または１枚の負レンズで構成することが良い。
【００７８】
また、ズームレンズを小型化しつつ広画角で高いズーム比を得るには、第１レンズ群Ｌ１のレンズ枚数が少ないほど良い。これによれば第１レンズ群Ｌ１を通る軸外光束の入射高さが低くなり、第１レンズ群Ｌ１の有効径を小さくすることができる。そのため、各実施例では、第１レンズ群Ｌ１のレンズ枚数は３枚以下の構成とするのが良い。
【００７９】
また、第２レンズ群Ｌ２は広画角化を図るために、物体側より像側へ順に２枚の負レンズと、１枚の正レンズを有することが好ましい。第２レンズ群Ｌ２を負の屈折力とし、広画角化を容易にしている。
【００８０】
また、本発明によれば、後群ＬＲの屈折力を適切に設定することによって軸外諸収差、特に非点収差・歪曲収差を良好に補正している。更に広画角化及び高ズーム比化を図った際の球面収差、コマ収差の補正を効果的に行っている。
【００８１】
各実施例では以上の様に各要素を構成することで、レンズ全長が短くレンズ有効径を小型にしつつ、高いフォーカス性能を有するズームレンズを得ている。
【００８２】
なお、以上説明した各実施例では、後群ＬＲが２または３のレンズ群からなるズームレンズを例に説明したが、本発明の適用範囲はこれに限られない。後群ＬＲが第Ｎレンズ群としての特徴を満たす１つのレンズ群から構成されていてもよい。または、後群ＬＲが４つ以上のレンズ群から構成されていてもよい。
【００８３】
次に本発明のズームレンズを撮像光学系として用いたデジタルスチルカメラ（撮像装置）の実施例に関して図１１を用いて説明する。
【００８４】
図１１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００８５】
以下に実施例１乃至５に対応する数値データ１乃至５を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、Ｒを近軸曲率半径、Ｋ、Ａ２、Ａ４、Ａ６、Ａ８、Ａ１０、Ａ１２を各々非球面係数とするとき、
【００８６】
【数１】
2020067542.tif 000003
【００８７】
で与えるものとする。
【００８８】
各非球面係数において「ｅ−ｘ」は「１０−ｘ」を意味する。また、焦点距離、Ｆナンバー等のスペックに加え、ズームレンズの撮像半画角、像高は撮像半画角を決定する最大像高である。バックフォーカスＢＦは最終レンズ面から像面までの光軸上の空気換算距離を示している。レンズ全長は、第１レンズ面から最終レンズ面までの光軸上の距離に、バックフォーカスを加えた長さを示している。また、各レンズ群データは各レンズ群とそれらの焦点距離を示している。
【００８９】
また、各光学面の間隔ｄが（可変）となっている部分はズーミングに際して変化するものであり、別表に焦点距離に応じた面間隔を記している。尚、以下に記載する数値データ１乃至５のレンズデータに基づく各条件式の計算結果を表１に示す。
【００９０】
（数値データ１）
単位 mm
面データ
面番号       r        d      nd         vd
1        211.125    2.10   1.80810    22.8           
2         80.660    6.03   1.77250    49.6           
3        248.854    0.15                             
4         57.558    6.97   1.77250    49.6           
5        160.440  (可変)                             
6         66.217    1.40   1.88300    40.8           
7         18.113    8.41                             
8       -206.710    1.20   1.61800    63.4           
9         22.688    4.36   1.85478    24.8           
10         79.196    4.20                             
11        -35.317    1.20   1.58313    59.4           
12*      -312.513    0.43                             
13        910.041    5.47   1.59270    35.3           
14        -19.928    1.10   1.88300    40.8           
15        -47.138  (可変)                             
16(絞り)    ∞       0.40                             
17         81.194    4.45   1.83481    42.7           
18        -54.244    0.15                             
19         41.217    7.25   1.49700    81.5           
20        -32.257    1.10   2.00069    25.5           
21       -293.896    2.41                             
22*       -71.464    1.75   1.76802    49.2           
23         64.990    1.91   1.80810    22.8           
24        199.742  (可変)                             
25         30.855    6.56   1.59522    67.7           
26        -85.643    0.35                             
27         38.493    1.20   1.73800    32.3           
28         22.868    7.83   1.53775    74.7           
29        -71.877    0.15                             
30*     -4310.465    1.70   1.85400    40.4           
31*       109.508  (可変)                             
32         53.194    0.90   1.80400    46.6           
33         22.891  (可変)                             
34*       -42.821    1.70   1.58313    59.4           
35*     -2156.781    0.15                             
36        344.261    3.20   2.00100    29.1           
37        -88.670  (可変)                             
像面        ∞   
非球面データ
第12面
K = 0.00000e+000  A 4=-5.69442e-006  A 6=-2.29053e-009  A 8=-4.72363e-011  A10= 4.65343e-013  A12=-1.99227e-015  
第22面
K = 0.00000e+000  A 4= 1.87606e-006  A 6= 1.45872e-009  A 8= 2.78338e-011  A10=-2.10980e-013  A12= 3.98590e-016  
第30面
K = 0.00000e+000  A 4=-2.01869e-005  A 6= 6.17344e-008  A 8=-2.64177e-010  A10=-2.98832e-013  A12= 2.64092e-015  
第31面
K = 0.00000e+000  A 4= 1.63774e-006  A 6= 9.32838e-008  A 8=-2.34772e-010  A10=-7.39973e-013  A12= 4.51086e-015  
第34面
K = 0.00000e+000  A 4=-2.51719e-005  A 6= 1.25180e-007  A 8=-5.32709e-010  A10= 5.08044e-013  A12= 7.30860e-016  
第35面
K = 0.00000e+000  A 4=-2.60571e-005  A 6= 1.26402e-007  A 8=-6.23562e-010  A10= 1.45147e-012  A12=-1.39940e-015  
各種データ
ズーム比      2.74 
広角     中間     望遠
焦点距離      24.72    43.75    67.65  
Fナンバー      2.91     2.91     2.91  
半画角（度）  41.19    26.31    17.74  
像高          21.64    21.64    21.64  
レンズ全長   144.34   158.19   172.04  
BF            14.31    25.73    35.97  
d 5            0.80    17.81    28.91  
d15           16.54     8.10     2.46  
d24           11.55     5.41     3.56  
d31            2.38     1.11     0.91  
d33           12.58    13.85    14.04  
d37           14.31    25.73    35.97  
レンズ群データ
群  始面    焦点距離  
1    1     110.39  
2    6     -18.97  
3   16      57.70  
4   25      28.23  
5   32     -50.65  
6   34     783.07  
（数値データ２）
単位 mm
面データ
面番号       r        d      nd         vd
1        161.515    2.10   1.80809    22.8           
2         79.872    6.59   1.77250    49.6           
3        333.053    0.15                             
4         54.361    6.22   1.72916    54.7           
5        156.778  (可変)                             
6        130.015    1.35   1.88300    40.8           
7         18.616    9.25                             
8        -89.388    1.30   1.53775    74.7           
9         23.767    4.12   1.85478    24.8           
10         60.588    4.64                             
11        -65.476    2.66   1.88300    40.8           
12        -32.068    0.69                             
13        -26.771    1.35   1.76802    49.2           
14*       -50.891  (可変)                             
15(絞り)    ∞       0.40                             
16         91.577    2.48   1.88300    40.8           
17       -304.082    0.15                             
18         37.554    8.52   1.49700    81.5           
19        -28.731    1.40   1.95375    32.3           
20        -63.707    1.02                             
21*       -96.704    1.90   1.76802    49.2           
22         65.000    1.78   1.90366    31.3           
23        132.291  (可変)                             
24         27.626    6.95   1.49700    81.5           
25       -102.616    0.35                             
26         83.438    3.31   1.59522    67.7           
27        -92.579    0.15                             
28         74.322    5.83   1.53775    74.7           
29        -29.356    1.45   1.85400    40.4           
30*      10000.000  (可変)                             
31         69.619    0.88   1.95375    32.3           
32         26.524  (可変)                             
33*       -44.805    1.70   1.58313    59.4           
34*     -3044.392    0.15                             
35       -500.000    3.83   2.00069    25.5           
36        -56.199  (可変)                             
像面        ∞   
非球面データ
第14面
K = 0.00000e+000  A 4=-3.55372e-006  A 6=-4.44156e-009  A 8= 2.42864e-011  A10=-2.55074e-013  A12= 5.39868e-016  
第21面
K = 0.00000e+000  A 4= 1.70448e-006  A 6= 2.73805e-010  A 8= 3.65782e-011  A10=-2.55152e-013  A12= 4.67611e-016  
第30面
K = 0.00000e+000  A 4= 2.15407e-005  A 6= 3.68704e-010  A 8= 1.79757e-010  A10=-8.43371e-013  A12= 2.53994e-015  
第33面
K = 0.00000e+000  A 4=-3.02830e-005  A 6= 4.59403e-008  A 8=-1.39878e-010  A10=-1.16192e-012  A12= 2.72442e-015  
第34面
K = 0.00000e+000  A 4=-3.07871e-005  A 6= 8.23526e-008  A 8=-3.67006e-010  A10= 5.94084e-013  A12=-2.60605e-016  
各種データ
ズーム比      2.75 
広角     中間     望遠
焦点距離      24.72    44.00    67.90  
Fナンバー      2.91     2.91     2.91  
半画角（度）  41.19    26.18    17.67  
像高          21.64    21.64    21.64  
レンズ全長   145.95   153.27   160.58  
BF            12.45    26.49    31.69  
d 5            0.80    14.02    22.83  
d14           22.28     9.96     2.40  
d23           11.13     5.98     3.38  
d30            3.14     1.60     1.50  
d32           13.48    12.55    16.12  
d36           12.45    26.49    31.69  
レンズ群データ
群  始面    焦点距離  
1    1      90.00  
2    6     -20.93  
3   15      68.32  
4   24      30.32  
5   31     -45.38  
6   33     267.26  
（数値データ３）
単位 mm
面データ
面番号       r        d      nd         vd
1        200.000    2.10   1.80809    22.8           
2         79.285    7.12   1.77250    49.6           
3        418.295    0.15                             
4         51.172    6.46   1.72916    54.7           
5        115.687  (可変)                             
6        104.876    1.35   1.88300    40.8           
7         18.183   10.29                             
8        -78.319    1.30   1.53775    74.7           
9         25.899    4.28   1.85478    24.8           
10         78.908    3.85                             
11        245.224    4.38   1.88300    40.8           
12        -43.197    1.35   1.76802    49.2           
13*       182.315  (可変)                             
14(絞り)    ∞       0.40                             
15         52.693    2.82   1.88300    40.8           
16        333.826    0.15                             
17         40.931    9.18   1.49700    81.5           
18        -29.811    1.40   1.95375    32.3           
19       -115.074    1.02                             
20*      -202.910    1.90   1.76802    49.2           
21         65.000    1.56   1.90366    31.3           
22        107.749  (可変)                             
23         27.055    7.30   1.49700    81.5           
24        -86.200    0.15                             
25         78.034    3.24   1.59522    67.7           
26       -103.467    0.15                             
27         84.902    4.37   1.53775    74.7           
28        -38.525    1.45   1.85400    40.4           
29*     -1848.701  (可変)                             
30         37.828    0.88   1.95375    32.3           
31         21.967  (可変)                             
32        218.008    4.67   1.66680    33.0           
33        -40.214    1.70   1.55332    71.7           
34*        55.356  (可変)                             
像面        ∞   
非球面データ
第13面
K = 0.00000e+000  A 4=-2.73965e-006  A 6=-1.69162e-009  A 8=-2.49633e-011  A10= 3.44870e-014  A12=-9.82913e-017  
第20面
K = 0.00000e+000  A 4= 1.56342e-006  A 6= 4.17422e-009  A 8= 1.65347e-011  A10=-3.31421e-013  A12= 8.61220e-016  
第29面
K = 0.00000e+000  A 4= 2.39106e-005  A 6= 2.07325e-008  A 8= 5.03201e-011  A10= 9.52529e-014  A12= 4.59360e-016  
第34面
K = 0.00000e+000  A 4=-6.17719e-006  A 6=-4.13751e-009  A 8=-5.99556e-011  A10= 2.95904e-013  A12=-5.94251e-016  
各種データ
ズーム比      2.75 
広角     中間     望遠
焦点距離      24.72    42.99    67.89  
Fナンバー      2.91     2.91     2.91  
半画角（度）  41.19    26.72    17.67  
像高          21.64    21.64    21.64  
レンズ全長   145.95   154.51   163.06  
BF            17.52    24.59    30.66  
d 5            0.80    15.29    26.19  
d13           23.36    12.52     4.66  
d22            7.61     3.55     1.51  
d29            2.82     1.60     1.50  
d31            8.87    11.97    13.57  
d34           17.52    24.59    30.66  
レンズ群データ
群  始面    焦点距離  
1    1     100.55  
2    6     -22.21  
3   14      79.75  
4   23      28.50  
5   30     -56.46  
6   32    -250.65  
（数値データ４）
単位 mm
面データ
面番号       r        d      nd         vd
1        180.824    2.10   1.80809    22.8           
2         85.891    5.95   1.77250    49.6           
3        376.338    0.15                             
4         57.750    5.66   1.72916    54.7           
5        121.459  (可変)                             
6        107.116    1.35   1.88300    40.8           
7         18.976    9.66                             
8        -74.468    1.30   1.53775    74.7           
9         22.631    4.30   1.85478    24.8           
10         52.540    2.08                             
11         61.952    2.28   1.88300    40.8           
12        205.264  (可変)                             
13(絞り)    ∞       0.40                             
14         63.944    2.58   1.88300    40.8           
15        242.963    0.15                             
16         32.864    5.51   1.49700    81.5           
17        -26.177    1.40   1.95375    32.3           
18       -152.899    1.26                             
19*      -254.605    1.20   1.76802    49.2           
20         65.000    0.00                             
21         65.000    1.63   1.76182    26.5           
22        336.267  (可変)                             
23         35.515    5.72   1.49700    81.5           
24        -32.768    0.15                             
25         92.018    3.02   1.49700    81.5           
26        -47.866    1.20   1.85400    40.4           
27*       -69.489  (可変)                             
28         39.516    0.88   1.95375    32.3           
29         19.940  (可変)                             
30         32.993    4.92   1.69895    30.1           
31        112.565    1.70   1.55332    71.7           
32*        21.166  (可変)                             
像面        ∞   
非球面データ
第19面
K = 0.00000e+000  A 4= 8.46983e-007  A 6=-2.67211e-009  A 8= 2.35466e-010  A10=-2.95314e-012  A12= 1.05704e-014  
第27面
K = 0.00000e+000  A 4= 2.15030e-005  A 6=-1.26345e-008  A 8= 1.98666e-010  A10=-1.31987e-012  A12= 3.82284e-015  
第32面
K = 0.00000e+000  A 4=-2.40648e-005  A 6=-1.36335e-009  A 8=-6.57029e-011  A10= 1.11094e-013  A12=-4.19164e-016  
各種データ
ズーム比      4.13 
広角     中間     望遠
焦点距離      24.72    53.96   102.00  
Fナンバー      4.12     4.12     4.12  
半画角（度）  41.19    21.85    11.98  
像高          21.64    21.64    21.64  
レンズ全長   133.43   152.26   171.08  
BF            18.51    32.77    43.74  
d 5            0.80    23.06    41.96  
d12           26.96    12.42     2.40  
d22            7.90     4.36     3.25  
d27            6.20     3.16     1.50  
d29            6.51     9.93    11.69  
d32           18.51    32.77    43.74  
レンズ群データ
群  始面    焦点距離  
1    1     113.35  
2    6     -27.36  
3   13      95.41  
4   23      26.70  
5   28     -43.15  
6   30    -250.35  
（数値データ５）
単位 mm
面データ
面番号       r        d      nd         vd
1        200.000    2.10   1.80809    22.8           
2         92.909    5.94   1.77250    49.6           
3        369.700    0.15                             
4         58.021    7.51   1.72916    54.7           
5        167.674  (可変)                             
6        206.797    1.35   1.88300    40.8           
7         18.816    9.65                             
8       -106.150    1.30   1.53775    74.7           
9         25.609    6.02   1.85478    24.8           
10         70.006    2.45                             
11       -221.640    2.95   1.85400    40.4           
12*       -99.731  (可変)                             
13(絞り)    ∞       0.40                             
14         49.441    3.72   1.88300    40.8           
15        163.827    0.15                             
16         37.488    8.23   1.49700    81.5           
17        -30.900    1.40   1.95375    32.3           
18        -95.459    1.02                             
19*      -155.610    1.90   1.76802    49.2           
20         65.000    1.71   1.90366    31.3           
21        123.887  (可変)                             
22         28.654    6.65   1.49700    81.5           
23        -77.933    0.15                             
24         72.759    3.04   1.59522    67.7           
25       -105.134    0.15                             
26         58.408    5.30   1.53775    74.7           
27        -29.821    1.45   1.85400    40.4           
28*       168.702  (可変)                             
29        100.707    1.90   1.88300    40.8           
30       -200.000    0.90   1.72493    43.3           
31         22.011  (可変)                             
32        -30.000    2.00   1.58313    59.4           
33*       -53.407  (可変)                             
34      -1263.205    3.58   2.05090    26.9           
35        -69.134  (可変)                             
像面        ∞   
非球面データ
第12面
K = 0.00000e+000  A 4=-3.32723e-006  A 6=-8.11631e-009  A 8= 3.31457e-011  A10=-2.01651e-013  A12= 3.05887e-016  
第19面
K = 0.00000e+000  A 4= 1.51660e-006  A 6=-6.19820e-009  A 8= 1.09651e-010  A10=-7.26807e-013  A12= 1.58997e-015  
第28面
K = 0.00000e+000  A 4= 2.27530e-005  A 6=-2.75454e-010  A 8= 5.08670e-010  A10=-3.58809e-012  A12= 1.05766e-014  
第33面
K = 0.00000e+000  A 4=-3.65611e-006  A 6=-7.97771e-009  A 8=-1.77502e-011  A10= 8.82983e-014  A12=-3.07075e-016  
各種データ
ズーム比      2.75 
広角     中間     望遠
焦点距離      24.72    44.00    67.90  
Fナンバー      2.91     2.91     2.91  
半画角（度）  41.19    26.18    17.67  
像高          21.64    21.64    21.64  
レンズ全長   147.28   154.72   162.16  
BF            10.83    15.81    20.79  
d 5            0.80    16.33    26.39  
d12           27.84    14.26     5.01  
d21            7.70     3.34     1.65  
d28            2.45     1.60     1.81  
d31           13.79    17.76    18.44  
d33            0.80     2.55     5.00  
d35           10.83    15.81    20.79  
レンズ群データ
群  始面    焦点距離  
1    1     100.55  
2    6     -23.82  
3   13      73.64  
4   22      30.68  
5   29     -43.61  
6   32    -121.20  
7   34      69.49  
【００９１】
【表１】
2020067542.tif 000004
【符号の説明】
【００９２】
Ｌ１  第１レンズ群      Ｌ２  第２レンズ群        Ｌ３  第３レンズ群
Ｌ４  第４レンズ群      ＬＮ  第Ｎレンズ群（フォーカシング群）
Ｌ０  ズームレンズ
【図１】
2020067542.tif 000005
【図２】
2020067542.tif 000006
【図３】
2020067542.tif 000007
【図４】
2020067542.tif 000008
【図５】
2020067542.tif 000009
【図６】
2020067542.tif 000010
【図７】
2020067542.tif 000011
【図８】
2020067542.tif 000012
【図９】
2020067542.tif 000013
【図１０】
2020067542.tif 000014
【図１１】
2020067542.tif 000015